(57)【要約】【課題】構造が簡単で、折畳み操作が容易にでき、誤作動が発生しない自転車の折り畳み式ペダルを提供する。【解決手段】スライダー２０をペダル本体１０の段状スライド溝１１内に嵌入させ、スプリング４０の一端はスライダー２０の固定溝孔内（円Ａ箇所）に嵌入させ、スプリング４０のもう一端は段状スライド溝１１内に嵌入させる。クランク軸３０は軸柱３２を段状スライド溝１１内に配置して回動可能に設ける。ペダルの折畳み操作は、スライダーのＣ形開口部に手を入れて後方にスライドさせ、スライダー延伸部２２とクランク軸の嵌入溝３３との係合を外すことにより、ペダルをクランク軸の軸柱３２の廻りに回動可能として折畳む。組立てる際はスライダーを後退させればスプリングにより、スライダーが嵌入溝との係合位置に復帰して固定される。【選択図】　　図１
0003098596.tif 000002
【実用新案登録請求の範囲】
【請求項１】
主にペダル本体、スライダー、クランク軸、スプリング、ストッパー、ボルトを含む自転車の折り畳み式ペダルの構造において、
コ形を呈しており、ペダル本体内部には段状スライド溝を設けており、該段状スライド溝の両端にはそれぞれ弧面状部を設けており、同時に該段状スライド溝底側部には段穴状の収納溝を設けており、ペダル本体両側面部の頂端部にはそれぞれ通し穴を設けており、該通し穴の対応する位置にはねじ穴を設けているペダル本体と、
Ｃ形開口部を設けており、該Ｃ形開口部両側にはそれぞれ延伸部を形成しており、底端には固定溝孔を設けているスライダーと、
前端にはクランクに固定する軸接部を設けており、両側には軸柱を設けており、末端部には嵌入溝を設けているクランク軸と、
直方体であり、通し穴を設けているストッパーと、
螺旋状であるスプリングと、
ボルトと、
等から構成されており、
スプリングの一端はスライダーの固定溝孔内に嵌入されており、スライダーはペダル本体の段状スライド溝内に嵌入されており、スプリングのもう一端は段状スライド溝内に嵌入されており、それによりスライダーが段状スライド溝内で移動する事が可能で、
クランク軸は軸柱により段状スライド溝内に設置されており、ストッパーが段状スライド溝の前端にボルトにより固定されており、
スライダーを移動させることによってペダル本体を容易で確実に折り曲げることが可能なことを特徴とする自転車の折り畳み式ペダルの構造。
【請求項２】
ストッパーとクランク軸が接する位置に弧面部を設け、ペダル本体の折り曲げ動作をより滑らかにしたことを特徴とする請求項１記載の自転車の折り畳み式ペダルの構造。
【請求項３】
スライダーに挿通柱を形成し、それによりスライダーとスプリングを連結したことを特徴とする請求項１記載の自転車の折り畳み式ペダルの構造。
【請求項４】
スライダーの前端に嵌入皿を増設し、更にスライダーに収納孔を設け、クランク軸上の該嵌入皿に対応する位置に連結柱を増設することで、スライダーをクランク軸に嵌入する時、三点同時に嵌入するようにして、スライダーとクランク軸の動作をより確実にしたことを特徴とする請求項１記載の自転車の折り畳み式ペダルの構造。
【請求項５】
スライダーの前端に連結柱を設け、更にクランク軸の該連結柱に対応する位置に嵌入皿を設けて三点同時に嵌入するようにして、スライダーとクランク軸の動作をより確実にしたことを特徴とする請求項１記載の自転車の折り畳み式ペダルの構造。
【請求項６】
スライダーの前端に平板状の連結部を設け、更にクランク軸の該連結部に対応する位置に嵌入溝を設けて、三点同時に嵌入するようにして、スライダーとクランク軸の動作をより確実にしたことを特徴とする請求項１記載の自転車の折り畳み式ペダルの構造。
【考案の詳細な説明】
【０００１】
【考案の属する技術分野】
本考案は自転車の折り畳み式ペダルの構造に係り、特にペダル本体内にクランク軸と連結したスライダーを設け、該スライダーを移動させることにより該ペダル本体を容易で確実に折り曲げることが可能な自転車の折り畳み式ペダルの構造に関わる。
【０００２】
【従来の技術】
収納、運搬時の利便を図るために自転車の不使用時における体積を縮小する研究がなされ、現在ではフレーム部分を折り曲げることが可能な折り畳み自転車が発明されている。それに伴い自転車上の各部品においても不使用時の体積を最小にすることが可能な構造が研究され、自転車ペダルにおいては既に多くの特許が認可をされている。
しかし、公知構造においては組み立てパーツが多く構造が複雑で、操作が不便であり、動作の確実性が乏しいために誤作動が起きやすいなどの欠点がある。
【０００３】
【考案が解決しようとする課題】
したがって本考案の主要な目的は自転車ペダルの折り曲げ操作が容易にでき、固定時には安定した固定が可能で、誤作動が発生しない自転車の折り畳み式ペダルの構造を提供する事である。
【０００４】
もう一つの目的はペダルの構造を簡素にすることによって、組み立てを容易にし、製造コストを大幅に減らす事が可能な自転車の折り畳み式ペダルの構造を提供する事である。
【０００５】
【課題を解決するための手段】
主にペダル本体、スライダー、クランク軸、スプリング、ストッパー、ボルト等から構成し、該ペダル本体内部には段状スライド溝を設け、該段状スライド溝の両端にはそれぞれ弧面状部を設け、同時に該段状スライド溝底側部には段穴状の収納溝を設け、ペダル本体両側面部の頂端部にはそれぞれ通し穴を設け、該通し穴の対応する位置にはねじ穴を設ける。該スライダーにはＣ形開口部を設け、該Ｃ形開口部両側にはそれぞれ延伸部を形成し底端には固定溝孔を設ける。該クランク軸前端にはクランクを固定する軸接部を設け、両側には軸柱を設け末端部には嵌入溝を設ける。直方体であるストッパーには通し穴を設ける。スプリングの一端はスライダーの固定溝孔内に嵌入させ、スライダーはペダル本体の段状スライド溝内に嵌入させ、スプリングのもう一端は段状スライド溝内に嵌入させることによりスライダーが段状スライド溝内で移動することを可能にする。クランク軸は軸柱により段状スライド溝内に設置させ、ストッパーは段状スライド溝の前端にボルトにより固定する。スライダーの延伸部はクランク軸の嵌入溝に嵌入されているので、ペダルを折り畳む時はスライダーを移動させることによりペダル本体を折り曲げることができるので、容易に、確実にペダルの折り曲げ操作が可能である。
【０００６】
【考案実施の形態】
図１，２，３，４に示すように本考案は主にペダル本体１０、スライダー２０、クランク軸３０、スプリング４０、ストッパー５０、ボルト６０等から構成し、
該ペダル本体１０内部には段状スライド溝１１を設け、該段状スライド溝１１の両端にはそれぞれ弧面状部１２を設け、同時に該段状スライド溝１１底側部には段穴状の収納溝１６（図３）を設け、ペダル本体１０両側面部の頂端部にはそれぞれ通し穴１４を設け、該通し穴１４の対応する位置にはねじ穴１５を設ける。
該スライダー２０にはＣ形開口部２１を設け、該Ｃ形開口部２１両側にはそれぞれ延伸部２２を形成し、底端には固定溝孔２３（図２）を設ける。
該クランク軸３０前端にはクランクと固定する軸接部３１を設け、両側には軸柱３２を設け、末端部には嵌入溝３３を設ける。
直方体であるストッパー５０には通し穴５１を設ける。
【０００７】
スプリング４０の一端はスライダー２０の固定溝孔２３内に嵌入させ、スライダー２０はペダル本体１０の段状スライド溝１１内に嵌入させ、スプリング４０のもう一端は段状スライド溝１１内に嵌入させることによりスライダー２０が段状スライド溝１１内で移動する事が可能になっている。
クランク軸３０は軸柱３２により段状スライド溝１１内に設置させ、ストッパー５０は段状スライド溝１１の前端にボルト６０により固定する。（組み立て後の形状は図４を参照）
【０００８】
図５，６，７に示すように、スライダー２０の延伸部をクランク軸３０の嵌入溝３３に嵌入させることで、クランク軸３０はバランス良い力で嵌入され、安定した位置でペダル本体に連結される。
【０００９】
折り曲げ操作をする時は、人の手をＣ形開口部２１に入れ、スライダー２０を後方に移動させ、スライダー２０の延伸部２２をクランク軸３０の嵌入溝３３から脱離させることで、容易にスライダー１０を上方に折り曲げる事が可能となる。その後スライダー２０両側の延伸部２２前端は、クランク軸３０表面に接するため、ペダル本体１０が定位置で固定される。再びペダルを使用する時は、スライダー２０を後方に移動させ、ペダル本体１０を下方に折り曲げ、スライダー２０がスプリング４０の弾力により前方に押し出されるので、それによりスライダー２０の延伸部２２がクランク軸３０の嵌入溝３３内に嵌入されるため、再び定位置で固定することができる。
【００１０】
ペダル本体１０の段状スライド溝１１の両端に弧面状部１２を設け、それによりペダル本体１０の折り曲げ動作を滑らかにすることが可能になっている。
【００１１】
スライダー２０は段状スライド溝１１の比較的狭い位置に嵌入されるので、スライダー２０の移動を安定させることが可能になっている。
【００１２】
段状スライド溝１１前端に比較的広い空間を設け、それにより組み立てを迅速に、容易にすることが可能になっている。
【００１３】
図８に示すように、ストッパー５０に弧面部５２を設けることも可能で、それによりペダル本体１０の折り曲げ動作を更に安定させることが可能である。
【００１４】
図９に示すように、スライダー２０とスプリング４０が接する位置に挿通柱２４を設けることも可能で、それによりスプリング４０と挿通柱２４を連結することが可能になっている。
【００１５】
図１０、１１に示すように、スライダー２０の前端に嵌入皿２６を増設することも可能で、更にスライダー２０に収納孔２５を設け、クランク軸３０上の該嵌入皿２６に対応する位置に連結柱３４を増設することで、スライダー２０をクランク軸に嵌入する時、三点同時に嵌入することができ、スライダー２０とクランク軸３０の動作をより確実にすることが可能になる。
【００１６】
図１２、１３に示すように、スライダー２０の前端に連結柱２７を設けることも可能で、更にクランク軸３０の該連結柱２７に対応する位置に嵌入皿３５を設けることで、三点同時に嵌入することができ、スライダー２０とクランク軸３０の動作をより確実にすることが可能になる。
【００１７】
図１４、１５に示すように、スライダー２０の前端に平板状の連結部２８を設けることも可能で、更にクランク軸３０の該連結部２８に対応する位置に嵌入溝３６を設けることで、三点同時に嵌入することができ、スライダー２０とクランク軸３０の動作をより確実にすることが可能になっている。
【００１８】
【考案の効果】
本考案によると、ペダルの構造を簡素にすることで、明らかに、自転車ペダルの折り曲げ操作が容易になり、動作の確実性が増し、組み立てが容易になり、製造コストを減らすことが可能になった。
【図面の簡単な説明】
【図１】本考案における立体全体図である。
【図２】図１におけるＡ部の断面図である。
【図３】図１におけるＢ部の断面図である。
【図４】本考案における組み立て後の立体外観図である。
【図５】本考案における動作を示した断面図である。
【図６】図５の動作の次の動作を示した断面図である。
【図７】図６の動作の次の動作を示した断面図である。
【図８】本考案におけるストッパーの模範実施例を示した図である。
【図９】本考案におけるスライダーの模範実施例を示した図である。
【図１０】本考案におけるスライダーとクランク軸の嵌入の模範実施例を示した図である。
【図１１】図１０のクランク軸を別の角度から見た立体外観図である。
【図１２】本考案におけるスライダーとクランク軸の嵌入の模範実施例を示したもう一つの図である。
【図１３】図１２のクランク軸を別の角度から見た立体外観図である。
【図１４】本考案におけるスライダーとクランク軸の嵌入の模範実施例を示した更にもう一つの図である。
【図１５】図１４のクランク軸を別の角度から見た立体外観図である。
【符号の説明】
１０　　ペダル本体
１１　　段状スライド溝
１２　　弧面状部
１３　　ペダル側面部
１４　　通し穴
１５　　ねじ穴
１６　　収納溝
２０　　スライダー
２１　　Ｃ形開口部
２２　　延伸部
２３　　固定溝孔
２４　　挿通柱
２５　　収納孔
２６　　嵌入皿
２７　　連結柱
２８　　連結部
３０　　クランク軸
３１　　軸接部
３２　　軸柱
３３　　嵌入溝
３４　　連結柱
３５　　嵌入皿
３６　　嵌入溝
４０　　スプリング
５０　　ストッパー
５１　　通し穴
５２　　弧面部
６０　　ボルト
【図１】
0003098596.tif 000003
【図２】
0003098596.tif 000004
【図３】
0003098596.tif 000005
【図４】
0003098596.tif 000006
【図５】
0003098596.tif 000007
【図６】
0003098596.tif 000008
【図７】
0003098596.tif 000009
【図８】
0003098596.tif 000010
【図９】
0003098596.tif 000011
【図１０】
0003098596.tif 000012
【図１１】
0003098596.tif 000013
【図１２】
0003098596.tif 000014
【図１３】
0003098596.tif 000015
【図１４】
0003098596.tif 000016
【図１５】
0003098596.tif 000017